(57)【要約】【課題】複数の無線システムの各々に対して動作クロック信号の高調波成分を受信帯域から容易に回避することができる無線機を提供すること。【解決手段】複数の無線システムは、それぞれ異なる周波数帯域を表す受信帯域により通信を行う。記憶部には、複数の無線システムと複数のクロック信号とが対応付けられて格納されている。複数のクロック信号は、それぞれ、複数の無線システムの受信帯域に複数のクロック信号の高調波成分が存在しない周波数を有している。機能ブロックは、複数のクロック信号に応じてそれぞれ複数の機能を実行可能である。制御部は、複数の無線システムのうちの１つの無線システムが使用されるときに、記憶部を参照して、複数のクロック信号の中から、１つの無線システムに対応するクロック信号を動作クロック信号として選択する。動作クロック発生回路は、動作クロック信号を発生し、機能ブロックに出力する。【選択図】図１
2010258658.tif 000002
【特許請求の範囲】
【請求項１】
それぞれ異なる周波数帯域を表す受信帯域により通信可能な複数の無線システムと、
前記複数の無線システムと複数のクロック信号とを対応付ける記憶部と、ここで、前記複数のクロック信号は、それぞれ、前記複数の無線システムの前記受信帯域に前記複数のクロック信号の高調波成分が存在しない周波数を有し、
前記複数のクロック信号に応じてそれぞれ複数の機能を実行可能な機能ブロックと、
前記複数の無線システムのうちの１つの無線システムが使用されるときに、前記記憶部を参照して、前記複数のクロック信号の中から、前記１つの無線システムに対応するクロック信号を動作クロック信号として選択する制御部と、
前記動作クロック信号を発生し、前記機能ブロックに出力する動作クロック発生回路と
を具備する無線機。
【請求項２】
前記複数の無線システムのそれぞれに設けられた複数のアンテナと、
前記複数の無線システムのそれぞれに設けられ、それぞれ前記複数のアンテナを介して前記受信帯域により通信を行う複数の無線回路と
を更に具備する請求項１に記載の無線機。
【請求項３】
前記複数の無線システムに共通に設けられたアンテナと、
前記複数の無線システムのそれぞれに設けられ、前記アンテナを介して前記受信帯域により通信を行う複数の無線回路と、
前記複数の無線システムに共通に設けられ、前記複数の無線システムのうちの前記１つの無線システムが使用されるときに、前記１つの無線システムの前記無線回路と前記アンテナとを接続する無線切替回路と
を更に具備する請求項１に記載の無線機。
【請求項４】
前記複数の無線システムが第１、２の無線システムにより表され、前記複数のクロック信号が第１、２のクロック信号により表される場合、
前記第１のクロック信号は、前記第１の無線システムの前記受信帯域に前記第１のクロック信号の高調波成分が存在しない周波数を有し、
前記第２のクロック信号は、前記第２の無線システムの前記受信帯域に前記第２のクロック信号の高調波成分が存在しない周波数を有する
請求項１〜３のいずれかに記載の無線機。
【請求項５】
前記複数の無線システムが第１〜３の無線システムにより表され、前記複数のクロック信号が第１〜３のクロック信号により表される場合、
前記第１のクロック信号は、前記第１の無線システムの前記受信帯域に前記第１のクロック信号の高調波成分が存在しない周波数を有し、
前記第２のクロック信号は、前記第２の無線システムの前記受信帯域に前記第２のクロック信号の高調波成分が存在しない周波数を有し、
前記第３のクロック信号は、前記第３の無線システムの前記受信帯域に前記第３のクロック信号の高調波成分が存在しない周波数を有する
請求項１〜３のいずれかに記載の無線機。
【請求項６】
前記複数の無線システムが第１〜３の無線システムにより表され、前記複数のクロック信号が第１、２のクロック信号により表される場合、
前記第１のクロック信号は、前記第１の無線システムの前記受信帯域に前記第１のクロック信号の高調波成分が存在しない周波数を有し、
前記第２のクロック信号は、前記第２、３の無線システムの前記受信帯域に前記第２のクロック信号の高調波成分が存在しない周波数を有する
請求項１〜３のいずれかに記載の無線機。
【請求項７】
前記複数の無線システムが第１〜３の無線システムにより表され、前記複数のクロック信号が第１、２のクロック信号により表される場合、
前記第１のクロック信号は、前記第１、３の無線システムの前記受信帯域に前記第１のクロック信号の高調波成分が存在しない周波数を有し、
前記第２のクロック信号は、前記第２、３の無線システムの前記受信帯域に前記第２のクロック信号の高調波成分が存在しない周波数を有する
請求項１〜３のいずれかに記載の無線機。
【請求項８】
それぞれ異なる周波数帯域を表す受信帯域により通信可能な複数の無線システムと、機能ブロックとを備えた無線機を用いる方法であって、
前記複数の無線システムと複数のクロック信号とを対応付ける情報を記憶部に格納するステップと、ここで、前記複数のクロック信号は、それぞれ、前記複数の無線システムの前記受信帯域に前記複数のクロック信号の高調波成分が存在しない周波数を有し、前記機能ブロックは、前記複数のクロック信号に応じてそれぞれ複数の機能を実行可能であり、
前記複数の無線システムのうちの１つの無線システムが使用されるときに、前記記憶部に格納された情報が表す前記複数のクロック信号の中から、前記１つの無線システムに対応するクロック信号を動作クロック信号として選択するステップと、
前記動作クロック信号を前記機能ブロックに出力するステップと
を具備する動作クロック周波数切替方法。
【請求項９】
請求項８に記載の動作クロック周波数切替方法の各ステップを無線機内のコンピュータに実行させるコンピュータプログラム。
【発明の詳細な説明】
【技術分野】
【０００１】
本発明は、携帯電話、スマートフォン、ＰＤＡ（Ｐｅｒｓｏｎａｌ  Ｄｉｇｉｔａｌ  Ａｓｓｉｓｔａｎｔ）、ノート型ＰＣ（Ｐｅｒｓｏｎａｌ  Ｃｏｍｐｕｔｅｒ）などの無線機に関する。
【背景技術】
【０００２】
無線機において、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＧＳＭ（ｇｌｏｂａｌ  ｓｙｓｔｅｍ  ｆｏｒ  ｍｏｂｉｌｅ  ｃｏｍｍｕｎｉｃａｔｉｏｎｓ）、ＷＬＡＮ（Ｗｉｒｅｌｅｓｓ  Ｌｏｃａｌ  Ａｒｅａ  Ｎｅｔｗｏｒｋ）、ＤＴＶ（Ｄｉｇｉｔａｌ  Ｔｅｌｅｖｉｓｉｏｎ）、ＧＰＳ（Ｇｌｏｂａｌ  Ｐｏｓｉｔｉｏｎｉｎｇ  Ｓｙｓｔｅｍ）など複数の無線システムを一つの製品に搭載することが多くなってきている。複数の無線システムは、それぞれ異なる周波数帯域を表す受信帯域により通信を行う。
【０００３】
また、無線機において、ＣＰＵ（Ｃｅｎｔｒａｌ  Ｐｒｏｃｅｓｓｉｎｇ  Ｕｎｉｔ）の他に、ＬＣＤ（Ｌｉｑｕｉｄ  Ｃｒｙｓｔａｌ  Ｄｉｓｐｌａｙ）、カメラなどの機能を実現する機能ロジックを上記製品に搭載している。機能ロジックは、動作クロック信号に応じて、所望の機能を実現する。
【０００４】
上述の動作クロック信号は高調波成分を含んでいる。その動作クロック信号の高調波成分の周波数帯域が、使用される無線システムの受信帯域と一致する場合、特に弱い電界レベル（低電界）ではノイズとして通信時に影響を与え、通信品質が劣化する。したがって、低電界での通信品質を確保するためには、動作クロック信号の高調波成分を全ての無線システムの受信帯域と一致しないような周波数帯域に設定する必要がある。しかし、全ての無線システムの受信帯域を回避することは困難である。
【０００５】
そこで、例えばシールド筐体で高調波成分を抑制する場合、ノイズ対策部品が必要となりコストがかかる。あるいは、ノイズ対策部品を使用しても充分に効果が得られる保証はない。
【０００６】
ここで、無線通信に関する技術を紹介する。
【０００７】
特開２００４−１７９８６１号公報には、携帯電話装置が記載されている。携帯電話装置には、カメラが搭載されている。この携帯電話装置は、機能ロジック（カメラ）の動作にノイズの影響がないように、無線システムが通信を行っていないときは、機能ロジックへの動作クロック信号（カメラ動作用クロック信号）の周波数を第１の周波数（７．２ＭＨｚ）に設定し、機能ロジックが動作中に無線システムが通信を行うときは、動作クロック信号の周波数を第２の周波数（１０．８ＭＨｚ）に設定する。しかし、特開２００４−１７９８６１号公報に記載された技術では、１つの無線システムが適用されているが、複数の無線システムには適用されていない。
【０００８】
特開平７−１５３９０号公報には、情報処理装置が記載されている。この情報処理装置は、機能ロジックの動作にノイズ（妨害波）の影響がないように、無線システムが通信を行うときは、内部で複雑な処理を実行して、機能ロジックへの動作クロック信号の周波数を、無線システムの受信帯域（通信帯域）に動作クロック信号の高調波成分が存在しない周波数に変更する。しかし、特開平７−１５３９０号公報に記載された技術では、無線システムが使用される度に、内部の回路で複雑な処理を実行するため、複数の無線システムに適用する場合、容易ではない。また、特開平７−１５３９０号公報には、複数の無線システムに適用する場合についても記載されているが、具体的な開示がない。複数の無線システムに適用したとしても、複数の無線システムの各々に対して複雑な処理が行われるため、更に、内部の回路が複雑になる。
【先行技術文献】
【特許文献】
【０００９】
【特許文献１】特開２００４−１７９８６１号公報
【特許文献２】特開平７−１５３９０号公報
【発明の概要】
【発明が解決しようとする課題】
【００１０】
本発明の課題は、複数の無線システムの各々に対して動作クロック信号の高調波成分を受信帯域から容易に回避することができる無線機を提供することにある。
【課題を解決するための手段】
【００１１】
本発明の無線機は、複数の無線システムと、記憶部と、機能ブロックと、制御部と、動作クロック発生回路とを具備している。複数の無線システムは、それぞれ異なる周波数帯域を表す受信帯域により通信を行う。記憶部には、複数の無線システムと複数のクロック信号とが対応付けられて格納されている。複数のクロック信号は、それぞれ、複数の無線システムの受信帯域に複数のクロック信号の高調波成分が存在しない周波数を有している。機能ブロックは、複数のクロック信号に応じてそれぞれ複数の機能を実行可能である。制御部は、複数の無線システムのうちの１つの無線システムが使用されるときに、記憶部を参照して、複数のクロック信号の中から、１つの無線システムに対応するクロック信号を動作クロック信号として選択する。動作クロック発生回路は、動作クロック信号を発生し、機能ブロックに出力する。
【発明の効果】
【００１２】
以上により、本発明の無線機によれば、使用される無線システムに応じて動作クロック信号を変更する。変更される動作クロック信号は、使用される無線システムの受信帯域に動作クロック信号の高調波成分が存在しない周波数を有している。このように、複数の無線システムの各々に対して動作クロック信号の高調波成分を受信帯域から回避することができる。これにより、低電界での通信品質を向上することができる。
【００１３】
本発明の無線機によれば、複数の無線システム１０−１〜１０−ｍと複数のクロック信号ｆ１〜ｆｎとを対応付ける情報を記憶部２０のテーブルに格納しておき、無線システムが使用されるとき、そのテーブルを参照して、無線システムに対応する動作クロック信号に変更する。これにより、複数の無線システムの各々に対して動作クロック信号の高調波成分を受信帯域から容易に回避することができる。
【００１４】
また、本発明の無線機によれば、シールド筐体で高調波成分を抑制しないため、ノイズ対策部品が必要ない。ノイズ対策部品を使用しないことにより、コストを削減できる。
【００１５】
また、本発明の無線機によれば、ノイズ対策部品を使用しないことにより、装置を小型化できる。
【図面の簡単な説明】
【００１６】
【図１】図１は、本発明の第１実施形態による無線機の構成を示している。
【図２】図２は、本発明の第１、２実施形態による無線機の記憶部内のテーブルを示している。
【図３】図３は、本発明の第１、２実施形態による無線機の動作を示すフローチャートである。
【図４】図４は、本発明の第２実施形態による無線機の構成を示している。
【図５】図５は、本発明の実施形態による無線機の構成の具体例として、具体例１を示している。
【図６Ａ】図６Ａは、図５の具体例１において、使用される無線システムの受信帯域と、動作クロックの高調波成分の周波数帯域との関係を示している。
【図６Ｂ】図６Ｂは、図５の具体例１において、使用される無線システムの受信帯域と、動作クロックの高調波成分の周波数帯域との関係を示している。
【図７】図７は、本発明の実施形態による無線機の構成の具体例として、具体例２〜４を示している。
【図８Ａ】図８Ａは、図７の具体例２において、使用される無線システムの受信帯域と、動作クロックの高調波成分の周波数帯域との関係を示している。
【図８Ｂ】図８Ｂは、図７の具体例２において、使用される無線システムの受信帯域と、動作クロックの高調波成分の周波数帯域との関係を示している。
【図８Ｃ】図８Ｃは、図７の具体例２において、使用される無線システムの受信帯域と、動作クロックの高調波成分の周波数帯域との関係を示している。
【図９Ａ】図９Ａは、図７の具体例３において、使用される無線システムの受信帯域と、動作クロックの高調波成分の周波数帯域との関係を示している。
【図９Ｂ】図９Ｂは、図７の具体例３において、使用される無線システムの受信帯域と、動作クロックの高調波成分の周波数帯域との関係を示している。
【図１０Ａ】図１０Ａは、図７の具体例４において、使用される無線システムの受信帯域と、動作クロックの高調波成分の周波数帯域との関係を示している。
【図１０Ｂ】図１０Ｂは、図７の具体例４において、使用される無線システムの受信帯域と、動作クロックの高調波成分の周波数帯域との関係を示している。
【発明を実施するための形態】
【００１７】
以下に添付図面を参照して、本発明の実施形態による無線機について詳細に説明する。
【００１８】
（第１実施形態）
［構成］
図１は、本発明の第１実施形態による無線機の構成を示している。本発明の第１実施形態による無線機は、複数の無線システム１０−１〜１０−ｍ（ｍは２以上の整数）と、記録媒体である記憶部２０と、制御部であるＣＰＵ（Ｃｅｎｔｒａｌ  Ｐｒｏｃｅｓｓｉｎｇ  Ｕｎｉｔ）２１と、動作クロック発生回路２２と、機能ブロック２３と、入力部２４とを具備している。
【００１９】
複数の無線システム１０−１〜１０−ｍは、それぞれ異なる周波数帯域を表す受信帯域により通信を行う。本発明の第１実施形態による無線機は、更に、複数のアンテナ１１−１〜１１−ｍと、複数の無線回路１２−１〜１２−ｍとを具備している。複数のアンテナ１１−１〜１１−ｍは、複数の無線システム１０−１〜１０−ｍのそれぞれに設けられている。複数の無線回路１２−１〜１２−ｍは、複数の無線システム１０−１〜１０−ｍのそれぞれに設けられ、それぞれ複数のアンテナ１１−１〜１１−ｍを介して受信帯域により、それぞれ異なる通信方式の基地局と通信を行う。
【００２０】
機能ブロック２３は、ＬＣＤ（Ｌｉｑｕｉｄ  Ｃｒｙｓｔａｌ  Ｄｉｓｐｌａｙ）、カメラなど通信機能以外の複数の機能を有し、複数のクロック信号ｆ１〜ｆｎに応じてそれぞれ複数の機能を実行する。
【００２１】
記憶部２０には、コンピュータに実行させるためのコンピュータプログラムが記憶されている。ＣＰＵ２１は、起動時などに記憶部２０からコンピュータプログラムを読み取って実行する。動作クロック発生回路２２は、回路でもコンピュータプログラムでも実現可能である。
【００２２】
記憶部２０は、テーブルを備えている。図２は、そのテーブルを示している。テーブルに格納される情報については後述する。
【００２３】
［動作］
図３は、本発明の実施形態による無線機の動作を示すフローチャートである。
【００２４】
業者は、無線機を製造した後、又は、販売する前など、利用者が無線機を手に入れる前に、格納処理を実行する（ステップＳ１）。
【００２５】
ステップＳ１において、業者は、複数の無線システム１０−１〜１０−ｍと複数のクロック信号ｆ１〜ｆｎ（ｎは２以上の整数）とを対応付ける情報を記憶部２０のテーブルに予め格納しておく。複数のクロック信号ｆ１〜ｆｎは、シミュレーションや実験などにより予め決定され、それぞれ複数の無線システム１０−１〜１０−ｍの受信帯域に複数のクロック信号ｆ１〜ｆｎの高調波成分が存在しない周波数を有している。
【００２６】
ＣＰＵ２１は、複数の無線システム１０−１〜１０−ｍに対して、使用される無線システムがあるか否かを監視する（ステップＳ２−ＮＯ）。
【００２７】
利用者は、複数の無線システム１０−１〜１０−ｍのうちの１つの無線システム１０−ｉ（ｉは１≦ｉ≦ｍを満たす整数）を使用したい。この場合、利用者は、入力部２４を操作して、上記１つの無線システム１０−ｉ（以下、無線システム１０−ｉと称する）を指定するための指示情報をＣＰＵ２１に出力する。ＣＰＵ２１は、その指示情報に応じて、無線システム１０−ｉが使用されることを認識する（ステップＳ２−ＹＥＳ）。
【００２８】
このとき、ＣＰＵ２１は、記憶部２０に格納されたテーブルを参照して、複数のクロック信号ｆ１〜ｆｎの中から、無線システム１０−ｉに対応するクロック信号ｆｊ（ｊは１≦ｊ≦ｎを満たす整数）を動作クロック信号として選択する（ステップＳ３）。
【００２９】
ＣＰＵ２１は、動作クロック信号ｆｊを発生して機能ブロック２３に出力するように動作クロック発生回路２２を制御する（ステップＳ４）。
【００３０】
ＣＰＵ２１は、無線システム１０−ｉによる通信が終了するまで（ステップＳ５−ＮＯ）、ステップＳ４を実行する。ＣＰＵ２１は、無線システム１０−ｉによる通信が終了した後（ステップＳ５−ＹＥＳ）、ステップＳ２以降を実行する。
【００３１】
［効果］
以上の説明により、本発明の第１実施形態による無線機によれば、使用される無線システム１０−ｉに応じて動作クロック信号ｆｊを変更する。変更される動作クロック信号ｆｊは、使用される無線システム１０−ｉの受信帯域に動作クロック信号ｆｊの高調波成分が存在しない周波数を有している。このように、複数の無線システムの各々に対して動作クロック信号の高調波成分を受信帯域から回避することができる。これにより、低電界での通信品質を向上することができる。
【００３２】
特開平７−１５３９０号公報に記載された技術では、無線システムが使用される度に、内部の回路で複雑な処理を実行するため、複数の無線システムに適用する場合、容易ではない。また、特開平７−１５３９０号公報には、複数の無線システムに適用する場合についての具体的な開示がないが、複数の無線システムに適用したとしても、複数の無線システムの各々に対して複雑な処理が行われるため、更に、内部の回路が複雑になる。一方、本発明の第１実施形態による無線機によれば、複数の無線システム１０−１〜１０−ｍと複数のクロック信号ｆ１〜ｆｎとを対応付ける情報を記憶部２０のテーブルに格納しておき、無線システム１０−ｉが使用されるとき、そのテーブルを参照して、無線システム１０−ｉに対応する動作クロック信号ｆｊに変更する。これにより、複数の無線システムの各々に対して動作クロック信号の高調波成分を受信帯域から容易に回避することができる。
【００３３】
また、本発明の第１実施形態による無線機によれば、シールド筐体で高調波成分を抑制しないため、ノイズ対策部品が必要ない。ノイズ対策部品を使用しないことにより、コストを削減できる。
【００３４】
また、本発明の第１実施形態による無線機によれば、ノイズ対策部品を使用しないことにより、装置を小型化できる。
【００３５】
（第２実施形態）
本発明の第２実施形態による無線機では、第１実施形態に重複する説明を省略する。
【００３６】
［構成］
図４は、本発明の第２実施形態による無線機の構成を示している。本発明の第２実施形態による無線機は、第１実施形態における複数のアンテナ１１−１〜１１−ｍに代えて、アンテナ１１と、無線切替回路１３とを具備している。アンテナ１１は、複数の無線システム１０−１〜１０−ｍに共通に設けられている。複数の無線回路１２−１〜１２−ｍは、複数の無線システム１０−１〜１０−ｍのそれぞれに設けられ、それぞれ複数のアンテナ１１−１〜１１−ｍを介して受信帯域により、それぞれ異なる通信方式の基地局と通信を行う。無線切替回路１３は、複数の無線システム１０−１〜１０−ｍに共通に設けられ、アンテナ１１と複数の無線回路１２−１〜１２−ｍとの間に設けられている。
【００３７】
［動作］
まず、前述のステップＳ１が実行される。
【００３８】
ＣＰＵ２１は、無線システム１０−ｊが使用されるとき（ステップＳ２−ＹＥＳ）、無線システム１０−ｉの無線回路１２−ｊとアンテナ１１とを接続するための接続情報を無線切替回路１３に出力する。無線切替回路１３は、接続情報に応じて、無線システム１０−ｊの無線回路１２−ｊとアンテナ１１とを接続する。
【００３９】
その後、前述のステップＳ３以降が実行される。
【００４０】
本発明の第２実施形態による無線機によれば、第１実施形態と同じ効果を実現する。
【００４１】
次に、本発明の第１、２実施形態による無線機の具体例について説明する。
【００４２】
（具体例１）
図５は、本発明の実施形態による無線機の構成の具体例として、具体例１を示している。図６Ａ、図６Ｂは、図５の具体例１において、使用される無線システムの受信帯域と、動作クロックとの関係を示している。
【００４３】
具体例１では、複数の無線システム１０−１〜１０−ｍが２個の無線システム１０−１、１０−２により表され、複数のクロック信号ｆ１〜ｆｎが２個のクロック信号ｆ１、ｆ２により表されている。即ち、上記のｍ、ｎが２である。
【００４４】
ここで、２個の無線システム１０−１、１０−２のうちの第１の無線システムを無線システム１０−１とし、第２の無線システムを無線システム１０−２とする。また、２個のクロック信号ｆ１、ｆ２のうちの第１のクロック信号をクロック信号ｆ１とし、第２のクロック信号をクロック信号ｆ２とする。
【００４５】
上記のｊが１であり、ｉが１であるものとする。この場合、クロック信号ｆ１の周波数は、無線システム１０−２の受信帯域にクロック信号ｆ１の高調波成分が存在するが、無線システム１０−１の受信帯域にクロック信号ｆ１の高調波成分が存在しない。このように、無線システム１０−１に対して動作クロック信号（クロック信号ｆ１）の高調波成分を受信帯域から容易に回避し、低電界での通信品質を向上することができる。
【００４６】
また、上記のｊが２であり、ｉが２であるものとする。この場合、クロック信号ｆ２の周波数は、無線システム１０−１の受信帯域にクロック信号ｆ２の高調波成分が存在するが、無線システム１０−２の受信帯域にクロック信号ｆ２の高調波成分が存在しない。このように、無線システム１０−２に対して動作クロック信号（クロック信号ｆ２）の高調波成分を受信帯域から容易に回避し、低電界での通信品質を向上することができる。
【００４７】
（具体例２）
図７は、本発明の実施形態による無線機の構成の具体例として、具体例２を示している。図８Ａ〜図８Ｃは、図７の具体例２において、使用される無線システムの受信帯域と、動作クロックとの関係を示している。
【００４８】
具体例２では、複数の無線システム１０−１〜１０−ｍが３個の無線システム１０−１〜１０−３により表され、複数のクロック信号ｆ１〜ｆｎが３個のクロック信号ｆ１〜ｆ３により表されている。即ち、上記のｍ、ｎが３である。
【００４９】
ここで、３個の無線システム１０−１〜１０−３のうちの第１の無線システムを無線システム１０−１とし、第２の無線システムを無線システム１０−２とし、第３の無線システムを無線システム１０−３とする。また、３個のクロック信号ｆ１〜ｆ３のうちの第１のクロック信号をクロック信号ｆ１とし、第２のクロック信号をクロック信号ｆ２とし、第３のクロック信号をクロック信号ｆ３とする。
【００５０】
上記のｊが１であり、ｉが１であるものとする。この場合、クロック信号ｆ１の周波数は、無線システム１０−２、１０−３の受信帯域にクロック信号ｆ１の高調波成分が存在するが、無線システム１０−１の受信帯域にクロック信号ｆ１の高調波成分が存在しない。このように、無線システム１０−１に対して動作クロック信号（クロック信号ｆ１）の高調波成分を受信帯域から容易に回避し、低電界での通信品質を向上することができる。
【００５１】
また、上記のｊが２であり、ｉが２であるものとする。この場合、クロック信号ｆ２の周波数は、無線システム１０−１、１０−３の受信帯域にクロック信号ｆ２の高調波成分が存在するが、無線システム１０−２の受信帯域にクロック信号ｆ２の高調波成分が存在しない。このように、無線システム１０−２に対して動作クロック信号（クロック信号ｆ２）の高調波成分を受信帯域から容易に回避し、低電界での通信品質を向上することができる。
【００５２】
また、上記のｊが３であり、ｉが３であるものとする。この場合、クロック信号ｆ３の周波数は、無線システム１０−１、１０−２の受信帯域にクロック信号ｆ３の高調波成分が存在するが、無線システム１０−３の受信帯域にクロック信号ｆ３の高調波成分が存在しない。このように、無線システム１０−３に対して動作クロック信号（クロック信号ｆ３）の高調波成分を受信帯域から容易に回避し、低電界での通信品質を向上することができる。
【００５３】
（具体例３）
具体例３の構成は、図７と同じである。図９Ａ、図９Ｂは、図７の具体例３において、使用される無線システムの受信帯域と、動作クロックとの関係を示している。
【００５４】
具体例３では、複数の無線システム１０−１〜１０−ｍが３個の無線システム１０−１〜１０−３により表され、複数のクロック信号ｆ１〜ｆｎが２個のクロック信号ｆ１、ｆ２により表されている。即ち、上記のｍが３であり、ｎが２である。
【００５５】
ここで、３個の無線システム１０−１〜１０−３のうちの第１の無線システムを無線システム１０−１とし、第２の無線システムを無線システム１０−２とし、第３の無線システムを無線システム１０−３とする。また、２個のクロック信号ｆ１、ｆ２のうちの第１のクロック信号をクロック信号ｆ１とし、第２のクロック信号をクロック信号ｆ２とする。
【００５６】
ここで、上記のｊが１であり、ｉが１であるものとする。この場合、クロック信号ｆ１の周波数は、無線システム１０−２、１０−３の受信帯域にクロック信号ｆ１の高調波成分が存在するが、無線システム１０−１の受信帯域にクロック信号ｆ１の高調波成分が存在しない。このように、無線システム１０−１に対して動作クロック信号（クロック信号ｆ１）の高調波成分を受信帯域から容易に回避し、低電界での通信品質を向上することができる。
【００５７】
また、上記のｊが２であり、ｉが２、３であるものとする。この場合、クロック信号ｆ２の周波数は、無線システム１０−１の受信帯域にクロック信号ｆ２の高調波成分が存在するが、無線システム１０−２、１０−３の受信帯域にクロック信号ｆ２の高調波成分が存在しない。このように、無線システム１０−２、１０−３に対して動作クロック信号（クロック信号ｆ２）の高調波成分を受信帯域から容易に回避し、低電界での通信品質を向上することができる。
【００５８】
（具体例４）
具体例４の構成は、図７と同じである。図１０Ａ、図１０Ｂは、図７の具体例４において、使用される無線システムの受信帯域と、動作クロックとの関係を示している。
【００５９】
具体例４では、複数の無線システム１０−１〜１０−ｍが３個の無線システム１０−１〜１０−３により表され、複数のクロック信号ｆ１〜ｆｎが２個のクロック信号ｆ１、ｆ２により表されている。即ち、上記のｍが３であり、ｎが２である。
【００６０】
ここで、３個の無線システム１０−１〜１０−３のうちの第１の無線システムを無線システム１０−１とし、第２の無線システムを無線システム１０−２とし、第３の無線システムを無線システム１０−３とする。また、２個のクロック信号ｆ１、ｆ２のうちの第１のクロック信号をクロック信号ｆ１とし、第２のクロック信号をクロック信号ｆ２とする。
【００６１】
上記のｊが１であり、ｉが１、３であるものとする。この場合、クロック信号ｆ１の周波数は、無線システム１０−２の受信帯域にクロック信号ｆ１の高調波成分が存在するが、無線システム１０−１、１０−３の受信帯域にクロック信号ｆ１の高調波成分が存在しない。このように、無線システム１０−１、１０−３に対して動作クロック信号（クロック信号ｆ１）の高調波成分を受信帯域から容易に回避し、低電界での通信品質を向上することができる。
【００６２】
また、上記のｊが２であり、ｉが２、３であるものとする。この場合、クロック信号ｆ２の周波数は、無線システム１０−１の受信帯域にクロック信号ｆ２の高調波成分が存在するが、無線システム１０−２、１０−３の受信帯域にクロック信号ｆ２の高調波成分が存在しない。このように、無線システム１０−２、１０−３に対して動作クロック信号（クロック信号ｆ２）の高調波成分を受信帯域から容易に回避し、低電界での通信品質を向上することができる。
【符号の説明】
【００６３】
１０−１〜１０−ｍ    無線システム、
１１−１〜１１−ｍ、１１    アンテナ、
１２−１〜１２−ｍ    無線回路、
１３    無線切替回路、
２０    記憶部、
２１    ＣＰＵ（制御部）、
２２    動作クロック発生回路、
２３    機能ブロック、
２４    入力部
【図１】
2010258658.tif 000003
【図２】
2010258658.tif 000004
【図３】
2010258658.tif 000005
【図４】
2010258658.tif 000006
【図５】
2010258658.tif 000007
【図６Ａ】
2010258658.tif 000008
【図６Ｂ】
2010258658.tif 000009
【図７】
2010258658.tif 000010
【図８Ａ】
2010258658.tif 000011
【図８Ｂ】
2010258658.tif 000012
【図８Ｃ】
2010258658.tif 000013
【図９Ａ】
2010258658.tif 000014
【図９Ｂ】
2010258658.tif 000015
【図１０Ａ】
2010258658.tif 000016
【図１０Ｂ】
2010258658.tif 000017